(57)【特許請求の範囲】
【請求項１】
ユーザ機器（ＵＥ）によるワイヤレス通信の方法であって、
基地局にメッセージを送信することと、ここにおいて、前記メッセージが前記ＵＥのステータスを含み、前記メッセージが、前記ＵＥの前記ステータスに基づいて少なくとも１つのＤ２Ｄグループにデータを送信するために使用されるべき要求された送信電力を含み、前記ステータスは、前記ＵＥが緊急事態にあるかどうかを示す緊急ステータスである、
前記ステータスに基づいて前記基地局からダウンリンク制御情報（ＤＣＩ）メッセージを受信することと、ここにおいて、前記ＤＣＩメッセージが、デバイスツーデバイス（Ｄ２Ｄ）通信のための送信電力制御情報を含み、ここにおいて、前記送信電力制御情報は、前記ＵＥが許容送信電力で送信することができるかどうかを示す、
前記ＤＣＩメッセージ中で受信された前記送信電力制御情報に基づいてデータを送信することと
を備える、方法。
【請求項２】
前記許容送信電力が、前記ＵＥの最大送信電力、指定された送信電力、または許容送信電力範囲のうちの１つを備える、請求項１に記載の方法。
【請求項３】
前記基地局に送信された前記メッセージが、Ｄ２Ｄ通信を実行するという意図を示す、請求項１に記載の方法。
【請求項４】
前記ステータスに基づいて構成メッセージを受信することをさらに備え、ここにおいて、前記構成メッセージが、前記ＵＥに関連付けられた少なくとも１つのＤ２Ｄグループのための前記許容送信電力を示し、ここにおいて、前記データが、前記送信電力制御情報と前記許容送信電力とに基づいて送信される、
請求項３に記載の方法。
【請求項５】
前記許容送信電力が、前記要求された送信電力とは異なる、請求項４に記載の方法。
【請求項６】
前記基地局に送信された前記メッセージがバッファステータス報告とＤ２Ｄグループインデックスとを含み、ここにおいて、前記Ｄ２Ｄグループインデックスが、Ｄ２Ｄグループ識別子に関連付けられ、前記ＵＥによって送信された直接通信指示メッセージ中に含まれる前記Ｄ２Ｄグループ識別子の位置に対応し、ここにおいて、前記Ｄ２Ｄグループ識別子は、前記ＵＥが前記ＵＥの前記ステータスに基づいて通信することを意図するＤ２Ｄグループに関連付けられる、請求項１に記載の方法。
【請求項７】
前記基地局から情報を受信することをさらに備え、ここにおいて、前記情報が、周波数帯域、ＵＥのタイプ、またはサービスサブスクリプションのうちの少なくとも１つのための最大送信電力を示し、前記最大送信電力が前記許容送信電力に等しく、前記情報が、システム情報ブロック中でまたは専用メッセージ中で受信される、請求項１に記載の方法。
【請求項８】
ワイヤレス通信のための装置であって、
基地局にメッセージを送信するための手段と、ここにおいて、前記メッセージが前記装置のステータスを含み、前記メッセージが、前記装置の前記ステータスに基づいて少なくとも１つのＤ２Ｄグループにデータを送信するために使用されるべき要求された送信電力を含み、前記ステータスは、前記装置が緊急事態にあるかどうかを示す緊急ステータスである、
前記ステータスに基づいて前記基地局からダウンリンク制御情報（ＤＣＩ）メッセージを受信するための手段と、ここにおいて、前記ＤＣＩメッセージが、デバイスツーデバイス（Ｄ２Ｄ）通信のための送信電力制御情報を含み、ここにおいて、前記送信電力制御情報は、前記装置が許容送信電力で送信することができるかどうかを示す、
前記ＤＣＩメッセージ中で受信された前記送信電力制御情報に基づいてデータを送信するための手段と
を備える、装置。
【請求項９】
前記許容送信電力が、前記装置の最大送信電力、指定された送信電力、または許容送信電力範囲のうちの１つを備える、請求項８に記載の装置。
【請求項１０】
前記基地局に送信された前記メッセージが、Ｄ２Ｄ通信を実行するという意図を示す、請求項８に記載の装置。
【請求項１１】
前記ステータスに基づいて構成メッセージを受信するための手段をさらに備え、ここにおいて、前記構成メッセージが、前記装置に関連付けられた少なくとも１つのＤ２Ｄグループのための前記許容送信電力を示し、ここにおいて、前記データが、前記送信電力制御情報と前記許容送信電力とに基づいて送信される、
請求項１０に記載の装置。
【請求項１２】
前記許容送信電力が、前記要求された送信電力とは異なる、請求項１１に記載の装置。
【請求項１３】
前記基地局に送信された前記メッセージがバッファステータス報告とＤ２Ｄグループインデックスとを含み、ここにおいて、前記Ｄ２Ｄグループインデックスが、Ｄ２Ｄグループ識別子に関連付けられ、前記装置によって送信された直接通信指示メッセージ中に含まれる前記Ｄ２Ｄグループ識別子の位置に対応し、ここにおいて、前記Ｄ２Ｄグループ識別子は、前記装置が前記装置の前記ステータスに基づいて通信することを意図するＤ２Ｄグループに関連付けられる、請求項８に記載の装置。
【請求項１４】
前記基地局から情報を受信するための手段をさらに備え、ここにおいて、前記情報が、周波数帯域、装置のタイプ、またはサービスサブスクリプションのうちの少なくとも１つのための最大送信電力を示し、前記最大送信電力が前記許容送信電力に等しく、前記情報が、システム情報ブロック中でまたは専用メッセージ中で受信される、請求項８に記載の装置。
【請求項１５】
実行されると、少なくとも１つのコンピュータに、請求項１〜請求項７のうちの一項に記載の方法を実行させるための実行可能命令を備える、コンピュータプログラム。
【発明の詳細な説明】
【技術分野】
【０００１】
関連出願の相互参照
[0001]本出願は、それらの全体が参照により本明細書に明確に組み込まれる、２０１５年１月１４日に出願された「SIGNALING TO REQUEST INCREASED TRANSMISSION POWER LIMIT IN AN EMERGENCY」と題する米国仮出願第６２／１０３，５３７号、および２０１６年１月８日に出願された「SIGNALING TO REQUEST INCREASED TRANSMISSION POWER LIMIT IN AN EMERGENCY」と題する米国特許出願第１４／９９１，８４５号の利益を主張する。
【０００２】
[0002]本開示は、一般に通信システムに関し、より詳細には、緊急事態において増加された送信電力限界を要求するためのシグナリングに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータ可読媒体、および装置が提供される。本装置はユーザ機器（ＵＥ）であり得る。本装置は基地局にメッセージを送信する。メッセージは本装置のステータスを含む。本装置は、ステータスに基づいて基地局からダウンリンク制御情報（ＤＣＩ）メッセージを受信する。ＤＣＩメッセージは、デバイスツーデバイス（Ｄ２Ｄ）通信のための送信電力制御情報を含む。送信電力制御情報は、本装置が許容送信電力で送信することができるかどうかを示す。本装置は、ＤＣＩメッセージ中で受信された送信電力制御情報に基づいてデータを送信する。
【０００６】
[0006]本開示の別の態様では、方法、コンピュータ可読媒体、および装置が提供される。本装置は基地局であり得る。本装置は、ＵＥからメッセージを受信する。メッセージはＵＥのステータスを示す。本装置は、ステータスに基づいてＵＥのための送信電力制御情報を決定する。本装置は、ＵＥにＤＣＩメッセージを送信する。ＤＣＩメッセージは、Ｄ２Ｄ通信のための送信電力制御情報を含む。送信電力制御情報は、ＵＥが許容送信電力で送信することができるかどうかを示す。
【０００７】
[0007]別の態様では、基地局によるワイヤレス通信の方法が提供される。本方法は、メッセージをＵＥから受信することと、そこで（in which）メッセージがＵＥのステータスを示す、ステータスに基づいてＵＥのための送信電力制御情報を決定することと、ＵＥにＤＣＩメッセージを送信することとを含み得る。ＤＣＩメッセージは、Ｄ２Ｄ通信のための送信電力制御情報を含み得、送信電力制御情報は、ＵＥが許容送信電力で送信することができるかどうかを示し得る。一態様では、ステータスは、ＵＥが緊急事態にあるかどうかを示す緊急ステータスであり得る。別の態様では、許容送信電力は、ＵＥの最大送信電力、指定された送信電力、または許容送信電力範囲のうちの１つを含み得る。別の態様では、メッセージは、ＵＥのステータスに基づいて少なくとも１つのＤ２Ｄグループにデータを送信するためにＵＥによって使用されるべき要求された送信電力を含み得る。別の態様では、ＤＣＩメッセージは、データが許容送信電力でＵＥによって送信されるべきである（to which）少なくとも１つのＤ２Ｄグループを示し得る。別の態様では、メッセージは、Ｄ２Ｄ通信を実行するという意図を示し得る。別の態様では、メッセージは、ＵＥがＵＥのステータスに基づいて通信することを意図する（with which）少なくとも１つのＤ２Ｄグループを示し得る。別の構成では、本方法は、ステータスに基づいて構成メッセージを送信することを含み得、構成メッセージは、ＵＥに関連付けられた少なくとも１つのＤ２Ｄグループのための許容送信電力を示し得る。別の態様では、許容送信電力は、要求された送信電力とは異なり得る。別の態様では、メッセージはバッファステータス報告とＤ２Ｄグループインデックスとを含み得る。Ｄ２Ｄグループインデックスは、Ｄ２Ｄグループ識別子に関連付けられ得、ＵＥから受信された直接通信指示メッセージ中に含まれるＤ２Ｄグループ識別子の位置に対応し得る。Ｄ２Ｄグループ識別子は、ＵＥがＵＥのステータスに基づいて通信することを意図するＤ２Ｄグループに関連付けられ得る。別の構成では、本方法は、ＵＥに情報を送信することを含み得る。情報は、周波数帯域、ＵＥのタイプ、またはサービスサブスクリプションのうちの少なくとも１つのための最大送信電力を示し得、最大送信電力は許容送信電力に等しい。一態様では、情報は、システム情報ブロック中でまたは専用メッセージ中で送信され得る。別の態様では、メッセージは、要求された送信電力、基地局識別子、Ｄ２Ｄグループ識別子、ステータス開始時間、またはステータス停止時間のうちの少なくとも１つを含み得る。別の構成では、本方法は、ハンドオーバプロシージャにおいて、第２の基地局に、ＵＥからの受信されたメッセージ中に含まれる情報を送信することを含み得る。情報は、ＵＥのステータスと、送信電力制御情報と、ＵＥがＵＥのステータスに基づいて通信することを意図するＤ２Ｄグループに関連付けられた、Ｄ２Ｄグループ識別子またはＤ２Ｄグループインデックスのうちの少なくとも１つとを含み得る。
【０００８】
[0008]別の態様では、ワイヤレス通信のための装置が提供される。本装置は、ＵＥからメッセージを受信するための手段を含み得る。メッセージはＵＥのステータスを示し得る。本装置は、ステータスに基づいてＵＥのための送信電力制御情報を決定するための手段と、ＵＥにＤＣＩメッセージを送信するための手段とを含み得る。ＤＣＩメッセージは、Ｄ２Ｄ通信のための送信電力制御情報を含み得、送信電力制御情報は、ＵＥが許容送信電力で送信することができるかどうかを示し得る。別の態様では、ステータスは、ＵＥが緊急事態にあるかどうかを示す緊急ステータスであり得る。また別の態様では、許容送信電力は、ＵＥの最大送信電力、指定された送信電力、または許容送信電力範囲のうちの１つを含み得る。別の態様では、メッセージは、ＵＥのステータスに基づいて少なくとも１つのＤ２Ｄグループにデータを送信するためにＵＥによって使用されるべき要求された送信電力を含み得る。また別の態様では、ＤＣＩメッセージは、データが許容送信電力でＵＥによって送信されるべきである少なくとも１つのＤ２Ｄグループを示し得る。別の態様では、メッセージは、Ｄ２Ｄ通信を実行するという意図を示し得る。別の態様では、メッセージは、ＵＥがＵＥのステータスに基づいて通信することを意図する少なくとも１つのＤ２Ｄグループを示し得る。別の構成では、本装置は、ステータスに基づいて構成メッセージを送信するための手段を含み得、構成メッセージは、ＵＥに関連付けられた少なくとも１つのＤ２Ｄグループのための許容送信電力を示し得る。別の態様では、許容送信電力は、要求された送信電力とは異なり得る。別の態様では、メッセージはバッファステータス報告とＤ２Ｄグループインデックスとを含み得る。Ｄ２Ｄグループインデックスは、Ｄ２Ｄグループ識別子に関連付けられ得、ＵＥから受信された直接通信指示メッセージ中に含まれるＤ２Ｄグループ識別子の位置に対応し得る。Ｄ２Ｄグループ識別子は、ＵＥがＵＥのステータスに基づいて通信することを意図するＤ２Ｄグループに関連付けられ得る。別の構成では、本装置は、ＵＥに情報を送信するための手段を含み得る。情報は、周波数帯域、ＵＥのタイプ、またはサービスサブスクリプションのうちの少なくとも１つのための最大送信電力を示し得る。最大送信電力は許容送信電力に等しくなり得る。別の態様では、情報は、システム情報ブロック中でまたは専用メッセージ中で送信され得る。別の態様では、メッセージは、要求された送信電力、基地局識別子、Ｄ２Ｄグループ識別子、ステータス開始時間、またはステータス停止時間のうちの少なくとも１つを含み得る。別の構成では、本装置は、ハンドオーバプロシージャにおいて、第２の基地局に、ＵＥからの受信されたメッセージ中に含まれる情報を送信するための手段を含み得る。情報は、ＵＥのステータスと、送信電力制御情報と、ＵＥがＵＥのステータスに基づいて通信することを意図するＤ２Ｄグループに関連付けられた、Ｄ２Ｄグループ識別子またはＤ２Ｄグループインデックスのうちの少なくとも１つとを含み得る。
【０００９】
[0009]別の態様では、ワイヤレス通信のための装置が提供される。本装置は、メモリと、メモリに結合された少なくとも１つのプロセッサとを含み得る。少なくとも１つのプロセッサは、ＵＥからメッセージを受信するように構成され得、メッセージはＵＥのステータスを示し得る。少なくとも１つのプロセッサは、ステータスに基づいてＵＥのための送信電力制御情報を決定し、ＵＥにＤＣＩメッセージを送信するように構成され得る。ＤＣＩメッセージは、Ｄ２Ｄ通信のための送信電力制御情報を含み得る。送信電力制御情報は、ＵＥが許容送信電力で送信することができるかどうかを示し得る。一態様では、ステータスは、ＵＥが緊急事態にあるかどうかを示す緊急ステータスであり得る。別の態様では、許容送信電力は、ＵＥの最大送信電力、指定された送信電力、または許容送信電力範囲のうちの１つを含み得る。別の態様では、メッセージは、ＵＥのステータスに基づいて少なくとも１つのＤ２Ｄグループにデータを送信するためにＵＥによって使用されるべき要求された送信電力を含み得る。別の態様では、ＤＣＩメッセージは、データが許容送信電力でＵＥによって送信されるべきである少なくとも１つのＤ２Ｄグループを示し得る。別の態様では、メッセージは、Ｄ２Ｄ通信を実行するという意図を示し得る。別の態様では、メッセージは、ＵＥがＵＥのステータスに基づいて通信することを意図する少なくとも１つのＤ２Ｄグループを示し得る。別の構成では、少なくとも１つのプロセッサは、ステータスに基づいて構成メッセージを送信するようにさらに構成され得る。構成メッセージは、ＵＥに関連付けられた少なくとも１つのＤ２Ｄグループのための許容送信電力を示し得る。別の態様では、許容送信電力は、要求された送信電力とは異なり得る。別の態様では、メッセージはバッファステータス報告とＤ２Ｄグループインデックスとを含み得る。Ｄ２Ｄグループインデックスは、Ｄ２Ｄグループ識別子に関連付けられ得、ＵＥから受信された直接通信指示メッセージ中に含まれるＤ２Ｄグループ識別子の位置に対応し得る。Ｄ２Ｄグループ識別子は、ＵＥがＵＥのステータスに基づいて通信することを意図するＤ２Ｄグループに関連付けられ得る。別の構成では、少なくとも１つのプロセッサは、ＵＥに情報を送信するようにさらに構成され得る。情報は、周波数帯域、ＵＥのタイプ、またはサービスサブスクリプションのうちの少なくとも１つのための最大送信電力を示し得る。最大送信電力は許容送信電力に等しくなり得る。別の態様では、情報は、システム情報ブロック中でまたは専用メッセージ中で送信され得る。別の態様では、メッセージは、要求された送信電力、基地局識別子、Ｄ２Ｄグループ識別子、ステータス開始時間、またはステータス停止時間のうちの少なくとも１つ＼を含み得る。別の構成では、少なくとも１つのプロセッサは、ハンドオーバプロシージャにおいて、第２の基地局に、ＵＥからの受信されたメッセージ中に含まれる情報を送信するようにさらに構成され得る。情報は、ＵＥのステータスと、送信電力制御情報と、ＵＥがＵＥのステータスに基づいて通信することを意図するＤ２Ｄグループに関連付けられた、Ｄ２Ｄグループ識別子またはＤ２Ｄグループインデックスのうちの少なくとも１つとを含み得る。
【００１０】
[0010]別の態様では、ワイヤレス通信のためのコンピュータ実行可能コードを記憶する基地局のコンピュータ可読媒体が提供される。コンピュータ可読媒体は、メッセージをＵＥから受信するためのコードと、そこでメッセージがＵＥのステータスを示す、ステータスに基づいてＵＥのための送信電力制御情報を決定するためのコードと、ＵＥにダウンリンク制御情報（ＤＣＩ）メッセージを送信するためのコードとを含み得、ここにおいて、ＤＣＩメッセージは、Ｄ２Ｄ通信のための送信電力制御情報を含む。送信電力制御情報は、ＵＥが許容送信電力で送信することができるかどうかを示し得る。一態様では、ステータスは、ＵＥが緊急事態にあるかどうかを示す緊急ステータスであり得る。別の態様では、許容送信電力は、ＵＥの最大送信電力、指定された送信電力、または許容送信電力範囲のうちの１つを含み得る。別の態様では、メッセージは、ＵＥのステータスに基づいて少なくとも１つのＤ２Ｄグループにデータを送信するためにＵＥによって使用されるべき要求された送信電力を含み得る。別の態様では、ＤＣＩメッセージは、データが許容送信電力でＵＥによって送信されるべきである少なくとも１つのＤ２Ｄグループを示し得る。別の態様では、メッセージは、Ｄ２Ｄ通信を実行するという意図を示し得る。別の態様では、メッセージは、ＵＥがＵＥのステータスに基づいて通信することを意図する少なくとも１つのＤ２Ｄグループを示し得る。別の構成では、コンピュータ可読媒体は、ステータスに基づいて構成メッセージを送信するためのコードをさらに含み得る。構成メッセージは、ＵＥに関連付けられた少なくとも１つのＤ２Ｄグループのための許容送信電力を示し得る。別の態様では、許容送信電力は、要求された送信電力とは異なり得る。別の態様では、メッセージはバッファステータス報告とＤ２Ｄグループインデックスとを含み得る。Ｄ２Ｄグループインデックスは、Ｄ２Ｄグループ識別子に関連付けられ得、ＵＥから受信された直接通信指示メッセージ中に含まれるＤ２Ｄグループ識別子の位置に対応し得る。Ｄ２Ｄグループ識別子は、ＵＥがＵＥのステータスに基づいて通信することを意図するＤ２Ｄグループに関連付けられ得る。別の構成では、コンピュータ可読媒体は、ＵＥに情報を送信するためのコードをさらに含み得る。情報は、周波数帯域、ＵＥのタイプ、またはサービスサブスクリプションのうちの少なくとも１つのための最大送信電力を示し得る。最大送信電力は許容送信電力に等しくなり得る。別の態様では、情報は、システム情報ブロック中でまたは専用メッセージ中で送信され得る。別の態様では、メッセージは、要求された送信電力、基地局識別子、Ｄ２Ｄグループ識別子、ステータス開始時間、またはステータス停止時間のうちの少なくとも１つを含み得る。別の構成では、コンピュータ可読媒体は、ハンドオーバプロシージャにおいて、第２の基地局に、ＵＥからの受信されたメッセージ中に含まれる情報を送信するためのコードをさらに含み得る。情報は、ＵＥのステータスと、送信電力制御情報と、ＵＥがＵＥのステータスに基づいて通信することを意図するＤ２Ｄグループに関連付けられた、Ｄ２Ｄグループ識別子またはＤ２Ｄグループインデックスのうちの少なくとも１つとを含み得る。
【図面の簡単な説明】
【００１１】
【図１】[0011]ネットワークアーキテクチャの一例を示す図。
【図２】[0012]アクセスネットワークの一例を示す図。
【図３】[0013]ＬＴＥにおけるＤＬフレーム構造の一例を示す図。
【図４】[0014]ＬＴＥにおけるＵＬフレーム構造の一例を示す図。
【図５】[0015]ユーザプレーンおよび制御プレーンのための無線プロトコルアーキテクチャの一例を示す図。
【図６】[0016]アクセスネットワーク中の発展型ノードＢおよびユーザ機器の一例を示す図。
【図７Ａ】[0017]デバイスツーデバイス通信を実行するデバイスツーデバイス通信システムの図。
【図７Ｂ】デバイスツーデバイス通信を実行するデバイスツーデバイス通信システムの図。
【図７Ｃ】デバイスツーデバイス通信を実行するデバイスツーデバイス通信システムの図。
【図８】[0018]ＵＥの送信電力限界を増加させるための例示的なプロシージャを示すコールフロー図。
【図９】[0019]ワイヤレス通信の方法のフローチャート。
【図１０】[0020]ワイヤレス通信の方法のフローチャート。
【図１１】[0021]例示的な装置中の異なるモジュール／手段／構成要素間のデータフローを示す概念データフロー図。
【図１２】[0022]処理システムを採用する装置のためのハードウェア実装形態の一例を示す図。
【図１３】[0023]例示的な装置中の異なるモジュール／手段／構成要素間のデータフローを示す概念データフロー図。
【図１４】[0024]処理システムを採用する装置のためのハードウェア実装形態の一例を示す図。
【発明を実施するための形態】
【００１２】
[0025]添付の図面に関して以下に記載される発明を実施するための形態は、様々な構成を説明するものであり、本明細書で説明される概念が実施され得る構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形態で示される。
【００１３】
[0026]次に、様々な装置および方法に関して電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課される設計制約に依存する。
【００１４】
[0027]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１５】
[0028]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１６】
[0029]図１は、ＬＴＥネットワークアーキテクチャ１００を示す図である。ＬＴＥネットワークアーキテクチャ１００は発展型パケットシステム（ＥＰＳ：：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１７】
[0030]Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１８】
[0031]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１９】
[0032]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことがある。さらに、「ｅＮＢ」、「基地局」、および「セル」という用語は、本明細書では互換的に使用され得る。
【００２０】
[0033]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００２１】
[0034]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２２】
[0035]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２３】
[0036]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内でいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガード間隔（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２４】
[0037]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２５】
[0038]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２６】
[0039]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２７】
[0040]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２８】
[0041]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２９】
[0042]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３０】
[0043]ＰＤＣＰサブレイヤ５１４は、異なる無線ベアラと論理チャネルとの間の多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００３１】
[0044]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３２】
[0045]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作、紛失パケットの再送信、およびＵＥ６５０へのシグナリングを担当する。
【００３３】
[0046]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３４】
[0047]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３５】
[0048]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、その後、Ｌ２レイヤの上方のすべてのプロトコルレイヤを表す、データシンク６６２に与えられる。また、様々な制御信号が、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３６】
[0049]ＵＬでは、データソース６６７が、コントローラ／プロセッサ６５９に上位レイヤパケットを与えるために使用される。データソース６６７はＬ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３７】
[0050]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３８】
[0051]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実装し得る。
【００３９】
[0052]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４０】
[0053]図７Ａ〜図７Ｃは、デバイスツーデバイス通信を実行するデバイスツーデバイス通信システム７００の図である。図７Ａを参照すると、デバイスツーデバイス通信システム７００は複数のワイヤレスデバイス７０４、７０６、７０８、７１０を含む。デバイスツーデバイス通信システム７００は、たとえば、ワイヤレスワイドエリアネットワーク（ＷＷＡＮ）などのセルラー通信システムと重なり得る。ワイヤレスデバイス７０４、７０６、７０８、７１０の一部は、ＤＬ／ＵＬ  ＷＷＡＮスペクトルを使用してデバイスツーデバイス通信において互いに通信し、一部は基地局７０２と通信し、一部は両方を行い得る。たとえば、図７Ａに示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６は基地局７０２とも通信している。
【００４１】
[0054]以下で説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置がＬＴＥのコンテキスト内で説明される。ただし、例示的な方法および装置は、様々な他のワイヤレスデバイスツーデバイス通信システムにより一般的に適用可能であることを当業者は理解されよう。
【００４２】
[0055]図７Ｂは、ワイヤレスデバイスがＤ２Ｄ通信のためにリソースを要求し得るコールフロー図７３０を示す。コールフロー図７３０を参照すると、ワイヤレスデバイス７０４がワイヤレスデバイス７０６とのＤ２Ｄ通信を開始することを希望した（wants to）とき、たとえば、ワイヤレスデバイス７０４は、基地局７０２にＰｒｏＳｅＵＥＩｎｆｏｒｍａｔｉｏｎメッセージ７３２を送信し得る（たとえば、ＰｒｏＳｅは近接サービスを指すことがある）。ＰｒｏＳｅＵＥＩｎｆｏｒｍａｔｉｏｎメッセージ７３２は、ワイヤレスデバイス７０４がＤ２Ｄ通信を開始することを希望することを示し得、リソースについての要求を含み得る。ＰｒｏＳｅＵＥＩｎｆｏｒｍａｔｉｏｎメッセージ７３２は、別のワイヤレスデバイスに関連付けられた１つまたは複数の識別子（ＩＤ）、またはワイヤレスデバイス７０４が通信することを意図するワイヤレスデバイスのグループをも含み得る。一態様では、ＰｒｏＳｅＵＥＩｎｆｏｒｍａｔｉｏｎメッセージ７３２はＲＲＣメッセージであり得る。応答して、基地局７０２は、ワイヤレスデバイス７０４にＲＲＣＣｏｎｎｅｃｔｉｏｎＲｅｃｏｎｆｉｇｕｒａｔｉｏｎメッセージ７３４を送信し得る。ＲＲＣＣｏｎｎｅｃｔｉｏｎＲｅｃｏｎｆｉｇｕｒａｔｉｏｎメッセージ７３４は、モード１／モード２情報（たとえば、ワイヤレスリソースプールの時間周波数情報）を含むことによってワイヤレスデバイス７０４に割り振られ得るワイヤレスリソースのプールまたはグループを示し得る。ＲＲＣＣｏｎｎｅｃｔｉｏｎＲｅｃｏｎｆｉｇｕｒａｔｉｏｎメッセージ７３４はまた、Ｄ２Ｄ無線ネットワーク一時識別子（たとえば、サイドリンク無線ネットワーク一時識別子（ＳＬ−ＲＮＴＩ：side link radio network temporary identifier））を含み得る。ＲＲＣＣｏｎｎｅｃｔｉｏｎＲｅｃｏｎｆｉｇｕｒａｔｉｏｎメッセージ７３４を正常に（successfully）受信すると、ワイヤレスデバイス７０４は、それの（that）正常な受信を示すために、基地局７０２にＲＲＣＣｏｎｎｅｃｔｉｏｎＲｅｃｏｎｆｉｇｕｒａｔｉｏｎＣｏｍｐｌｅｔｅメッセージ７３６を送信し得る。一態様では、ワイヤレスデバイス７０４が、モード１動作中であり、ワイヤレスデバイス７０６に送信すべきデータを有するとき、ワイヤレスデバイス７０４は、基地局７０２にＰｒｏＳｅ  ＢｕｆｆｅｒＳｔａｔｕｓＲｅｐｏｒｔ（ＢＳＲ）メッセージ７３８を送信することによってリソースを要求し得る。応答して、基地局７０２は、ワイヤレスデバイス７０４にダウンリンク制御情報（ＤＣＩ）メッセージ７４０を送信し得る。ＤＣＩメッセージ７４０は、ＰｒｏＳｅ  ＢＳＲメッセージ７３８に基づいて、ワイヤレスデバイス７０４に割り振られたワイヤレスリソースを示し得る。たとえば、ＤＣＩメッセージ７４０は、ＲＲＣＣｏｎｎｅｃｔｉｏｎＲｅｃｏｎｆｉｇｕｒａｔｉｏｎメッセージ７３４中で示されたリソースのプール内のリソースのサブセットを識別し得る。一態様では、ＤＣＩメッセージ７４０は、ＳＬ−ＲＮＴＩを用いてスクランブルされた、またはＳＬ−ＲＮＴＩに基づいて符号化された巡回冗長検査（ＣＲＣ）を含み得る。ワイヤレスデバイス７０４は、ＲＲＣＣｏｎｎｅｃｔｉｏｎＲｅｃｏｎｆｉｇｕｒａｔｉｏｎメッセージ７３４中で受信されたＳＬ−ＲＮＴＩに基づいて、どのＤＣＩメッセージがワイヤレスデバイス７０４を対象とするかを識別／決定し得る。別の態様では、ワイヤレスデバイス７０４がモード２動作中であるとき、ワイヤレスデバイス７０４は、ｅＮＢからＤＣＩメッセージを受信することなしに、ＲＲＣＣｏｎｎｅｃｔｉｏｎＲｅｃｏｎｆｉｇｕｒａｔｉｏｎメッセージ７３４中で与えられたリソースプールから特定のリソースを選択し得る。この態様では、ワイヤレスデバイス７０４は、ＤＣＩメッセージを受信する目的でＰｒｏＳｅ  ＢＳＲメッセージを送信しないこともある。
【００４３】
[0056]図７Ｃは、Ｄ２Ｄ通信のための図７６０を示す。図７６０は、スケジューリング割当て情報を送信するためのスケジューリング割当て（ＳＡ）スロット７６２、７６６を含む。図７６０は、Ｄ２Ｄ通信においてデータを送信するためのデータスロット７６４、７６８をも含む。ワイヤレスデバイス７０４がＤＣＩメッセージ７４０からＤ２Ｄ通信のための割り振られたワイヤレスリソースを決定した後、ワイヤレスデバイス７０４は、ＵＥ  ＩＤまたはＤ２ＤグループＩＤを含むスケジューリング割当てメッセージ７７０を送信し得る。ＵＥ  ＩＤまたはＤ２ＤグループＩＤは、Ｄ２Ｄ通信におけるデータの予定受信側（intended recipient）を示す。スケジューリング割当てメッセージ７７０はまた、データ７７２、７７４、７７６が配置された時間周波数リソースを識別する情報を含む。たとえば、ワイヤレスデバイス７０６が、Ｄ２ＤグループＩＤ２を有するＤ２Ｄグループに関連付けられ、ワイヤレスデバイス７０４がＤ２ＤグループＩＤ２にデータを送信することを希望する場合、スケジューリング割当てメッセージ７７０は、Ｄ２ＤグループＩＤ２と、データ７７２、７７４、７７６を送信するためのワイヤレスリソースに関するロケーション情報とを含み得る。ワイヤレスデバイス７０６およびＤ２ＤグループＩＤ２に関連付けられた他のワイヤレスデバイスが、Ｄ２ＤグループＩＤ２を含むスケジューリング割当てメッセージ７７０を受信したとき、ワイヤレスデバイス７０６および他のワイヤレスデバイスは、スケジューリング割当てメッセージ７７０中のロケーション情報に基づいて、ワイヤレスデバイス７０４によって送信されたデータをどこで取り出すべきかを知るだろう。
【００４４】
[0057]いくつかの事例では、ワイヤレスデバイス（たとえば、ワイヤレスデバイス７０４）は、緊急事態において使用され得る。たとえば、警察官および消防士は、火災と燃えている構造物内に閉じ込められた個人とのステータスを通信するために、火災救助中にワイヤレスデバイスを使用し得る。警察官は、現場（scene）に関する情報を与えるために、消防士、医療人員、および他の公共安全人員のグループとのＤ２Ｄ通信に関与する（engage）ために、ワイヤレスデバイスを使用し得、その逆も同様である。公共安全人員のグループ間の通信は、緊急事態において重要であり得る。そのような通信の信頼性を増加させるために、ワイヤレスデバイスは、緊急事態中にデータを送信する目的で、増加された送信電力を要求し、それを受信することが可能であり得る。
【００４５】
[0058]図８は、ＵＥの送信電力限界を増加させるための例示的なプロシージャを示すコールフロー図８００である。図８では、ＵＥ８０２は、緊急事態にあり得、増加された送信電力を使用して、第１のＤ２Ｄグループ８０６および第２のＤ２Ｄグループ８０８とのＤ２Ｄ通信を実行することを希望し得る。Ｄ２Ｄ通信を開始するために、ＵＥ８０２は、ｅＮＢ８０４に第１のメッセージ８１０を送信し得る。一態様では、第１のメッセージ８１０は、ＲＲＣメッセージ（たとえば、ＰｒｏＳｅＵＥＩｎｆｏｒｍａｔｉｏｎメッセージ７３２）または別のタイプの直接通信指示メッセージ（たとえば、伝送制御プロトコル（ＴＣＰ）／ＩＰ上で送信されたメッセージ）であり得る。第１のメッセージ８１０は、Ｄ２Ｄ通信を実行し、Ｄ２Ｄリソースを要求するという意図を示し得る。第１のメッセージ８１０はまた、第１のＤ２Ｄグループ８０６および／または第２のＤ２Ｄグループ８０８とＤ２Ｄ通信するに関与するという意図を示すために、第１のＤ２Ｄグループ８０６および／または第２のＤ２Ｄグループ８０８に関連付けられたＩＤを含み得る。一態様では、第１のメッセージ８１０はＤ２ＤグループＩＤリストを含み得、グループＩＤリスト中の各Ｄ２Ｄグループのためのビットは、ＵＥ８０２が、ＵＥ８０２のステータスに基づいてオンにされたビットをもつＤ２Ｄグループと通信することを希望することを示すために、オンにされ（たとえば、１に設定され）得る。第１のメッセージ８１０はＵＥ８０２のステータスを示し得る。ステータスは、ＵＥ８０２が緊急事態または緊急状態（たとえば、火災救助、強盗発生中、医療支援が必要など）にあるかどうかを示す緊急ステータスであり得る。一態様では、ＵＥ８０２は、ＵＥ８０２のユーザによって選択されたステータスに基づいてそれのステータス（たとえば、緊急ステータスまたは非緊急ステータス）を決定し得る。たとえば、ユーザがＵＥ８０２に関する緊急ステータスを選択した場合、ステータスインジケータは１に設定され得るが、ユーザがＵＥ８０２に関する緊急ステータスを選択しない場合、ステータスインジケータは０に設定され得る。別の態様では、第１のメッセージ８１０は、ＵＥ８０２のステータス（たとえば、ＵＥ８０２が緊急事態にある）に基づいてＤ２Ｄ通信リソースを要求し得る。一態様では、ＵＥ８０２は、ＵＥ８０２がＤ２Ｄ通信のために使用することを希望する所望の送信電力を有し得る。この態様では、第１のメッセージ８１０は、ＵＥ８０２のステータスに基づいて第１のＤ２Ｄグループ８０６と第２のＤ２Ｄグループ８０８とにデータを送信するために使用されるべき要求された送信電力を含み得る。要求された送信電力は、ＵＥ８０２の最大送信電力、ＵＥ８０２の現在許容送信電力よりも大きい送信電力、またはＵＥ８０２の現在の送信電力範囲よりも大きい送信電力範囲であり得る。別の態様では、第１のメッセージ８１０は、ＵＥ８０２がＤ２Ｄ通信を実行することを意図するキャリア周波数を含み得る。第１のメッセージ８１０中にキャリア周波数を含めることは、異なるＵＥの間のマルチキャリア動作を可能にする（たとえば、最大送信電力が異なる周波数で使用され得る）。別の態様では、第１のメッセージ８１０はｅＮＢ  ＩＤ（たとえば、ｅＮＢ８０４のＩＤ）を含み得る。また別の態様では、第１のメッセージ８１０は、ステータス開始および停止時間（たとえば、緊急の予期された開始時間および緊急の予期された終了時間）を含み得る。
【００４６】
[0059]ＵＥ８０２から、ＵＥ８０２のステータスを示す第１のメッセージ８１０を受信すると、ｅＮＢ８０４は、ＵＥ８０２が、増加された送信電力または送信電力範囲で送信し得るかどうかを決定し得る。一態様では、ｅＮＢ８０４は、ＵＥ８０２がより大きい電力で送信することを可能にするかどうか、およびどれほどより大きい送信電力（または電力範囲）で送信するかを決定する際に、ＵＥ８０２の近傍内のネイバリングワイヤレスデバイスの数および／またはネイバリングワイヤレスデバイスの送信電力を考慮し得る。一態様では、第１のメッセージ８１０が、要求された送信電力を含むとき、ｅＮＢ８０４は、要求された送信電力が適切であると決定し、ＵＥ８０２が、要求された送信電力で送信することを可能にし得る。要求された送信電力はＵＥ８０２の最大送信電力であり得る。別の態様では、ｅＮＢ８０４は、（たとえば、近傍内の他のデバイスに基づいて）要求された送信電力があまりに高いと決定し得、ＵＥ８０２のためのより低い許容送信電力を指定し得る。別の態様では、ｅＮＢ８０４は、送信電力範囲の上限がＵＥ８０２の現在の送信電力よりも高い、ＵＥ８０２のための送信電力範囲を決定し得る。一態様では、許容送信電力は、ＵＥ８０２に構成メッセージ８１２中で送られ得る。一態様では、構成メッセージ８１２は、専用メッセージ（たとえば、ＲＲＣＣｏｎｎｅｃｔｉｏｎＲｅｃｏｎｆｉｇｕｒａｔｉｏｎメッセージ７３４）であり得る。構成メッセージ８１２は、ＵＥ８０２のための許容送信電力を示し得る。一態様では、構成メッセージ８１２は、許容送信電力が、ＵＥ８０２に関連付けられた少なくとも１つのＤ２Ｄグループ（たとえば、第１のＤ２Ｄグループ８０６）と通信するために使用され得ると示し得る。構成メッセージ８１２はまた、Ｄ２Ｄ通信のためにＵＥ８０２に割り振られ得るワイヤレスリソースのプールを示し得る。構成メッセージ８１２はまた、無線ネットワーク一時識別子（たとえば、ＳＬ−ＲＮＴＩ）を含み得る。
【００４７】
[0060]構成メッセージ８１２を正常に受信すると、ＵＥ８０２は、ｅＮＢ８０４に、ＵＥ８０２が構成メッセージ８１２を正常に受信したことを示す構成完了メッセージ８１４を送信し得る。一態様では、構成完了メッセージ８１４は、ＲＲＣＣｏｎｎｅｃｔｉｏｎＲｅｃｏｎｆｉｇｕｒａｔｉｏｎＣｏｍｐｌｅｔｅメッセージ７３６であり得る。
【００４８】
[0061]その後、ＵＥ８０２が第１のＤ２Ｄグループ８０６（および／または第２のＤ２Ｄグループ８０８）に送信すべきデータを有するとき、ＵＥ８０２は、ｅＮＢ８０４に第２のメッセージ８１６を送信し得る。第２のメッセージ８１６は、たとえば、バッファステータス報告（たとえば、ＰｒｏＳｅ  ＢＳＲメッセージ７３８または別のＭＡＣ制御要素）であり得る。第２のメッセージ８１６は、１つまたは複数のＤ２Ｄグループインデックスを含み得、１つまたは複数のＤ２Ｄグループインデックスは、ＵＥ８０２がＵＥ８０２のステータスに基づいて通信することを意図する、１つまたは複数のＤ２ＤグループＩＤ／Ｄ２Ｄグループに関連付けられ得る。Ｄ２Ｄグループインデックスは、第１のメッセージ８１０（たとえば、ＰｒｏＳｅＵＥＩｎｆｏｒｍａｔｉｏｎメッセージ７３２または別の直接通信指示メッセージ）中で送信されたＤ２Ｄグループ識別子に関連付けられ得る。Ｄ２Ｄグループインデックスの値は、第１のメッセージ８１０中でＵＥ８０２によって送られたＤ２Ｄグループ識別子の位置に対応し得る。たとえば、第１のメッセージ８１０が、（第２のＤ２Ｄグループ８０８に関連付けられた）第２のＤ２ＤグループＩＤ１００が後続する（第１のＤ２Ｄグループ８０６に関連付けられた）第１のＤ２ＤグループＩＤ１０を含む場合、対応するＤ２Ｄグループインデックスは、それぞれ、１および２であり得る。Ｄ２Ｄグループインデックス１は、Ｄ２ＤグループＩＤ１０が、第１のメッセージ８１０に記載されている第１のＤ２ＤグループＩＤであったので、Ｄ２ＤグループＩＤ１０を指すことがある。同様に、Ｄ２Ｄグループインデックス２は、Ｄ２ＤグループＩＤ１００が、第１のメッセージ８１０に記載されている第２のＤ２ＤグループＩＤであったので、Ｄ２ＤグループＩＤ１００を指すことがある。２つのＤ２ＤグループＩＤおよびインデックスがここで説明されたが、任意の数のグループＩＤおよびＤ２Ｄグループインデックスが使用され得る。一態様では、第２のメッセージ８１６中で、ＵＥ８０２は、第１のメッセージ８１０中で示されたＤ２Ｄグループのサブセットを表すＤ２Ｄグループインデックスのセットを含み得る。
【００４９】
[0062]第２のメッセージ８１６を受信すると、ｅＮＢ８０４は、ＵＥ８０２が、要求された送信電力、ＵＥ８０２の最大送信電力、（要求された送信電力または最大送信電力よりも低いことがある）ｅＮＢ８０４によって指定された送信電力、または許容送信電力範囲のうちの１つで送信することを可能にすべきかどうかを決定し得る。決定およびＵＥ８０２のステータス（たとえば、緊急事態または非緊急事態）に基づいて、ｅＮＢ８０４は、ＵＥ８０２にダウンリンク制御情報（ＤＣＩ）メッセージ８１８（たとえば、ＤＣＩ−５メッセージ）を送信し得る。ＤＣＩメッセージ８１８は、ｅＮＢ８０４によって決定された送信電力制御（ＴＰＣ）情報を含み得る。一態様では、送信電力制御情報は１つまたは複数のＴＰＣビットであり得る。一例では、ＴＰＣビット＝０であるとき、ＵＥ８０２は開ループ電力制御を使用し得る（たとえば、ｅＮＢ８０４からの信号強度に基づいて、ＵＥ８０２は、ＵＥ８０２とｅＮＢ８０４との間の経路損失を理解し、経路損失を補償するための送信電力を計算し得る）。ＴＰＣビット１＝であるとき、ＵＥ８０２は、Ｄ２Ｄ通信のための許容電力（たとえば、増加された電力、最大電力）で送信し得る。別の態様では、ＤＣＩメッセージ８１８は、ＵＥ８０２に関連付けられた無線ネットワーク一時識別子（たとえば、ＳＬ−ＲＮＴＩ）を用いてスクランブルされたＣＲＣを含み得る。別の態様では、ｅＮＢ８０４は、ＵＥ８０２が最大送信電力でデータを送信することを可能にし得る。別の態様では、ＤＣＩメッセージ８１８は、データが許容送信電力（たとえば、最大送信電力または要求された送信電力）でＵＥ８０２によって送信されるべきである、１つまたは複数のＤ２Ｄグループ（たとえば、第１のＤ２Ｄグループ８０６）を示し得る。ＤＣＩメッセージ８１８はまた、１つまたは複数のＤ２ＤグループとのＤ２Ｄ通信のためにＵＥ８０２に割り振られたワイヤレスリソースを含み得る。
【００５０】
[0063]一態様では、ｅＮＢ８０４は、他のＵＥにＤＣＩメッセージを送信していることがある。ＵＥ８０２は、ＤＣＩメッセージ８１８中でＣＲＣをスクランブルするために使用されるＲＮＴＩ（たとえば、ＳＬ−ＲＮＴＩ）がＵＥ８０２に関連付けられるので、ＤＣＩメッセージ８１８がＵＥ８０２を対象とすると決定し得る。ＤＣＩメッセージ８１８は、ＵＥ８０２が許容送信電力（たとえば、要求された送信電力または最大送信電力）で送信し得ることを示し得る。一態様では、ＤＣＩメッセージ８１８は、要求された送信電力または最大送信電力とは異なる許容送信電力を示し得る。別の態様では、許容送信電力は送信電力範囲であり得る。ＤＣＩメッセージ８１８を正常に受信すると、ＵＥ８０２は、ＤＣＩメッセージ８１８中で受信された送信電力制御情報に基づいてデータを送信し得る。
【００５１】
[0064]一構成では、ＵＥ８０２は、緊急事態にあり得、第１のＤ２Ｄグループ８０６および第２のＤ２Ｄグループ８０８と通信するためにＤ２Ｄ通信リソースのための要求されたリソースを有し得る。ｅＮＢ８０４は、ＵＥ８０２が、最大送信電力を使用して第１のＤ２Ｄグループ８０６および第２のＤ２Ｄグループ８０８と通信することを許可し（authorized）得る。ＤＣＩメッセージ８１８を受信すると、ＵＥ８０２は、ＤＣＩメッセージ８１８中の送信電力制御情報と許容送信電力とに基づいて、第１のＤ２Ｄグループ８０６および第２のＤ２Ｄグループ８０８にデータを送信し得る。ＵＥ８０２は、第１のＤ２Ｄグループ８０６にが、第１のスケジューリング割当て８２０が第１のＤ２Ｄグループ８０６を対象とすると決定することを可能にするために、第１のＤ２Ｄグループ８０６のＤ２ＤグループＩＤを含む第１のスケジューリング割当て８２０を送信し得る。第１のスケジューリング割当て８２０は、第１のＤ２Ｄグループ８０６に送信されるべき第１のデータセット８２２のためのリソースロケーション情報（たとえば、時間周波数ワイヤレスリソース情報）を示し得る。ＵＥ８０２は、第１のスケジューリング割当て８２０を送信した後に、第１のＤ２Ｄグループ８０６に第１のデータセット８２２を送信し得る。第１のＤ２Ｄグループ８０６中のＵＥは、第１のスケジューリング割当て８２０を受信し、第１のスケジューリング割当て８２０中に含まれるＤ２ＤグループＩＤに基づいて、第１のスケジューリング割当て８２０が第１のＤ２Ｄグループ８０６を対象とすると決定し得る。第１のＤ２Ｄグループ８０６中のＵＥは、次いで、第１のスケジューリング割当て８２０中で受信され、復号されたロケーション情報に基づいて、第１のデータセット８２２中でデータを受信し得る。同様に、ＵＥ８０２は、第２のＤ２Ｄグループ８０８に第２のスケジューリング割当て８２４を送信し得る。第２のスケジューリング割当て８２４は、第２のＤ２Ｄグループ８０８にが、第２のスケジューリング割当て８２４が第２のＤ２Ｄグループ８０８を対象とすると決定することを可能にするために、第２のＤ２Ｄグループ８０８のＤ２ＤグループＩＤを含み得る。第２のスケジューリング割当て８２４は、第２のＤ２Ｄグループ８０８に送信されるべき第２のデータセット８２６のためのリソースロケーション情報を含み得る。ＵＥ８０２は、第２のスケジューリング割当て８２４を送信した後に、第２のＤ２Ｄグループ８０８に第２のデータセット８２６を送信し得る。第２のＤ２Ｄグループ８０８中のＵＥは、第１のスケジューリング割当て８２０を受信し、第１のスケジューリング割当て８２０中のＤ２ＤグループＩＤが、第２のＤ２Ｄグループ８０８に関連付けられたＤ２ＤグループＩＤに一致しないので、第１のスケジューリング割当て８２０を無視し得る。第２のＤ２Ｄグループ８０８は、第２のスケジューリング割当て８２４を受信し、第２のスケジューリング割当て８２４中に含まれるＤ２ＤグループＩＤに基づいて、第２のスケジューリング割当て８２４が第２のＤ２Ｄグループを対象とするものであると決定し得る。したがって、第２のＤ２Ｄグループ８０８中のＵＥは、第２のスケジューリング割当��８２４を復号し、第２のスケジューリング割当て８２４中のロケーション情報に基づいて、第２のデータセット８２６を受信し得る。
【００５２】
[0065]別の構成では、第１のメッセージ８１０がｅＮＢ８０４を介してコアネットワークにおけるサーバにＩＰ上で送信されたとき、（ｅＮＢ８０４ではなく）サーバは、ＵＥ８０２のための送信電力の増加を許可し得る。サーバは、ＵＥ８０２への送信のためにｅＮＢ８０４に許可を送信し得る。
【００５３】
[0066]別の構成では、送信電力を要求する代わりに、ＵＥ８０２は、ｅＮＢ８０４から、指定された送信電力を受信し得る。一態様では、ｅＮＢ８０４は、ＵＥ８０２に、ＵＥ８０２によって利用される１つまたは複数の周波数帯域のための最大送信電力を示す情報を送信し得る。別の態様では、情報は、（たとえば、ＵＥのブランドおよび／またはモデルに基づく）ＵＥのタイプのための最大送信電力、またはサービスサブスクリプションを示し得る（たとえば、警察官のためのもの、消防士のためのもの、医療人員のためのものなど、異なるタイプのサービスサブスクリプションは異なる最大送信電力を与え得る）。一態様では、情報はシステム情報ブロック（ＳＩＢ）中で受信され得る。別の態様では、情報は専用メッセージ（たとえば、構成メッセージ８１２）中で受信され得る。この構成では、ＵＥ８０２は、情報中で示された最大送信電力で少なくとも１つのＤ２Ｄグループ（たとえば、第１のＤ２Ｄグループ８０６および第２のＤ２Ｄグループ８０８）にデータを送信し得る。
【００５４】
[0067]別の構成では、ＵＥ８０２が、ｅＮＢ８０４によってサービスされていない新しいエリアに移動したとき、ｅＮＢ８０４は、新しいエリアをサービスするターゲットｅＮＢに関するハンドオーバプロシージャを実行し得る。ｅＮＢ８０４は、第１のメッセージ８１０および／または第２のメッセージ８１６中でＵＥ８０２から受信された情報を送信し得る。情報は、ＵＥ８０２のステータス、送信電力制御情報、および／あるいは、ＵＥ８０２がＵＥ８０２のステータスに基づいて通信することを意図するかまたは通信している１つまたは複数のＤ２Ｄグループに関連付けられたＤ２ＤグループＩＤ（またはＤ２Ｄグループインデックス）のうちの最小１つを含み得る。
【００５５】
[0068]図９は、ワイヤレス通信の方法のフローチャート９００である。本方法は、ＵＥ（たとえば、ＵＥ８０２、以下の、装置１１０２／１１０２’）によって実行され得る。９０２において、ＵＥは基地局にメッセージを送信する。メッセージはＵＥのステータスを含み得る。一例では、図８を参照すると、ＵＥ８０２は、ｅＮＢ８０４に第１のメッセージ８１０を送信し得る。第１のメッセージ８１０はＵＥ８０２のステータスを含み得、ステータスは、ＵＥが緊急事態にあることを示す緊急ステータスであり得る。この例では、第１のメッセージ８１０は、２０ｄＢｍの要求された送信電力を含み得る。第１のメッセージ８１０はまた、ＵＥ８０２が、緊急ステータスに基づいて２０ｄＢｍで第１のＤ２Ｄグループ８０６および第２のＤ２Ｄグループ８０８と通信することを希望することを示すために、第１のＤ２Ｄグループ８０６および第２のＤ２Ｄグループ８０８のためのＤ２ＤグループＩＤを含み得る。別の例では、ＵＥ８０２は、ｅＮＢ８０４に第２のメッセージ８１６を送信し得る。第２のメッセージ８１６はＵＥ８０２のステータスを含み得、ステータスは緊急ステータスであり得る。第２のメッセージ８１６は、第１のメッセージ８１０中に含まれる第１のＤ２ＤグループＩＤ（たとえば、第１のＤ２Ｄグループ８０６のためのＤ２ＤグループＩＤ）に対応するＤ２Ｄグループインデックス１を含み得る。したがって、第２のメッセージ８１６は、ＵＥ８０２が緊急ステータスに基づいて２０ｄＢｍで第１のＤ２Ｄグループ８０６とのＤ２Ｄ通信を実行することを希望することを示す。また別の例では、ＵＥ８０２は、ＴＣＰ／ＩＰを介してコアネットワークにおけるサーバに第１のメッセージ８１０を送信し得る。第１のメッセージ８１０は、２０ｄＢｍの要求された送信電力、ｅＮＢ８０４に関連付けられた識別子、第１のＤ２Ｄグループ８０６に関連付けられたＤ２ＤグループＩＤ１、午後１０時太平洋時間のステータス開始時間、および午前５時太平洋時間のステータス停止時間を示し得る。
【００５６】
[0069]９０４において、ＵＥは、ステータスに基づいて構成メッセージを受信する。構成メッセージは、ＵＥに関連付けられた少なくとも１つのＤ２Ｄグループのための許容送信電力を示し得る。たとえば、図８を参照すると、ＵＥ８０２は、ＵＥ８０２のステータスに基づいてｅＮＢ８０４から構成メッセージ８１２を受信し得る。構成メッセージ８１２は、ＵＥ８０２が第１のＤ２Ｄグループ８０６および第２のＤ２Ｄグループ８０８にデータを送信するための許容送信電力を示し得る。たとえば、ＵＥ８０２が第１のメッセージ８１０中で２０ｄＢｍの送信電力を要求した場合、構成メッセージ８１２中で示される許容送信電力は２０ｄＢｍであり得る。別の態様では、ｅＮＢ８０４は、より小さい指定された送信電力（たとえば、１０ｄＢｍ）、または許容送信電力範囲（５ｄＢｍ〜１５ｄＢｍ）を可能にし得る。
【００５７】
[0070]９０６において、ＵＥは、基地局から情報を受信する。情報は、周波数帯域、ＵＥのタイプ、またはサービスサブスクリプションのうちの少なくとも１つのための最大送信電力を示し得る。たとえば、図８を参照すると、ＵＥ８０２はｅＮＢ８０４から情報を受信し得、情報は、２．５ＧＨｚ周波数帯域におけるＵＥ８０２のための２０ｄＢｍの最大送信電力を示し得る。別の例では、情報は、警察官のサービスサブスクリプションに基づいてＵＥ８０２のための２０ｄＢｍの最大送信電力を示すか、またはＵＥ８０２がトラフィック制御担当員のサービスサブスクリプションを有する場合、ＵＥ８０２のための１０ｄＢｍ最大送信電力を示し得る。この情報はＳＩＢ中で送信され得る。代替的に、この情報は、専用メッセージ（たとえば、構成メッセージ８１２）中で送信され得る。
【００５８】
[0071]９０８において、ＵＥは、ステータスに基づいて基地局からＤＣＩメッセージを受信する。ＤＣＩメッセージは、Ｄ２Ｄ通信のための送信電力制御情報を含み得る。送信電力制御情報は、ＵＥが許容送信電力で送信することができるかどうかを示し得る。たとえば、図８を参照すると、ＵＥ８０２は、ＵＥ８０２の緊急ステータスに基づいて、（第２のメッセージ８１６を送信した後に）ＤＣＩメッセージ８１８を受信し得る。ＤＣＩメッセージ８１８は、ＵＥ８０２がＵＥ８０２の緊急ステータスに基づいて許容送信電力（たとえば、２０ｄＢｍ）で送信し得ることを示す、送信電力制御情報（たとえば、ＴＰＣビット＝１）を含み得る。ＤＣＩメッセージ８１８はまた、ＵＥ８０２が緊急ステータスに基づいて第１のＤ２Ｄグループ８０６に許容送信電力でデータを送信し得ることを示すために、第１のＤ２Ｄグループ８０６に関連付けられた、Ｄ２ＤグループＩＤ、またはＤ２Ｄグループインデックスを含み得る。別の例では、許容送信電力はＳＩＢに基づき得る。たとえば、ｅＮＢ８０４は、ｅＮＢ８０４によってサービスされるセル内のすべてのＵＥが、緊急の場合、１５ｄＢｍの許容送信電力で送信し得ることをＳＩＢ中で示し得る。したがって、ＵＥ８０２が緊急ステータスにあるとき、ＤＣＩメッセージ８１８は、ＵＥ８０２が第１のＤ２Ｄグループ８０６に１５ｄＢｍでデータを送信し得ることを示し得る。
【００５９】
[0072]９１０において、ＵＥは、ＤＣＩメッセージ中で受信された送信電力制御情報に基づいてデータを送信する。たとえば、図８を参照すると、ＵＥ８０２は、受信されたＤＣＩメッセージ８１８中のＴＰＣビット＝１に基づいて、２０ｄＢｍでデータ（たとえば、第１のスケジューリング割当て８２０および第１のデータセット８２２）を送信し得る。
【００６０】
[0073]図１０は、ワイヤレス通信の方法のフローチャート１０００である。本方法は、ｅＮＢ（たとえば、ｅＮＢ８０４、以下の、装置１３０２／１３０２’）によって実行され得る。１００２において、ｅＮＢはＵＥからメッセージを受信する。メッセージはＵＥのステータスを示し得る。たとえば、図８を参照すると、ｅＮＢ８０４は、ＵＥ８０２から第１のメッセージ８１０を受信し得る。第１のメッセージ８１０は、Ｄ２Ｄ通信を実行するという意図を示し得、ＵＥ８０２が緊急事態にあることを示す緊急ステータスを含み得る。この例では、第１のメッセージ８１０は、１０ｄＢｍの要求された送信電力を含み得る。第１のメッセージ８１０はまた、要求された送信電力が、ＵＥ８０２の緊急ステータスに基づいて第１のＤ２Ｄグループ８０６にデータを送信するために、ＵＥ８０２によって使用されるべきであることを示すために、第１のＤ２Ｄグループ８０６に関連付けられたＤ２ＤグループＩＤ１を含み得る。別の例では、ｅＮＢ８０４はＵＥ８０２から第２のメッセージ８１６を受信し得、第２のメッセージはＵＥ８０２が緊急事態にあることを示す緊急ステータスを含み得る。第２のメッセージ８１６は、１０ｄＢｍの要求された送信電力を含み得る。第２のメッセージ８１６は、要求された送信電力が、ＵＥ８０２の緊急ステータスに基づいて第１のＤ２Ｄグループ８０６にデータを送信するために、ＵＥ８０２によって使用されるべきであることを示すために、第１のＤ２Ｄグループ８０６のためのＤ２ＤグループＩＤ１に関連付けられたＤ２Ｄグループインデックス１を含み得る。
【００６１】
[0074]１００４において、ｅＮＢは、ＵＥのステータスに基づいてＵＥに構成メッセージを送信する。構成メッセージは、ＵＥに関連付けられた少なくとも１つのＤ２Ｄグループのための許容送信電力を示し得る。たとえば、図２を参照すると、ｅＮＢ８０４は、ＵＥ８０２が緊急事態にあることに基づいて、ＵＥ８０２に構成メッセージ８１２を送信し得る。構成メッセージ８１２は、許容送信電力が、第１のメッセージ８１０中のＵＥ８０２からの要求された送信電力と同じである、１０ｄＢｍであることを示し得る。別の例では、許容送信電力は、ＵＥ８０２の最大送信電力（たとえば、２３ｄＢｍ）、指定された送信電力（たとえば、５ｄＢｍ）、または許容送信電力範囲（１０ｄＢｍ〜２０ｄＢｍ）であり得る。したがって、許容送信電力は要求された送信電力とは異なり得る。
【００６２】
[0075]１００６において、ｅＮＢはＵＥに情報を送信する。情報は、周波数帯域、ＵＥのタイプ、またはサービスサブスクリプションのうちの少なくとも１つのための最大送信電力を示し得る。最大送信電力は許容送信電力に等しくなり得る。たとえば、図８を参照すると、ｅＮＢ８０４はＵＥ８０２に情報を送信し得、情報は、２．５ＧＨｚ周波数帯域におけるＵＥ８０２のための２０ｄＢｍの最大送信電力を示し得る。別の例では、情報は、警察官のサービスサブスクリプションに基づいてＵＥ８０２のための２０ｄＢｍの最大送信電力を示すか、またはＵＥ８０２がトラフィック制御担当員のサービスサブスクリプションを有する場合、ＵＥ８０２のための１０ｄＢｍ最大送信電力を示し得る。この情報はＳＩＢ中で送信され得る。代替的に、この情報は、専用メッセージ（たとえば、構成メッセージ８１２）中で送信され得る。
【００６３】
[0076]１００８において、ｅＮＢは、ステータスに基づいてＵＥのための送信電力制御情報を決定する。たとえば、図８を参照すると、第２のメッセージ８１６を受信すると、ｅＮＢ８０４は、ＵＥ８０２のステータスに基づいてＵＥ８０２のための送信電力制御情報を決定し得る。ステータスが、ＵＥ８０２が緊急事態にないことを示す場合、ｅＮＢ８０４はＴＰＣビットを０に設定し得る。一方、ＵＥのステータスが、ＵＥ８０２が緊急事態にあることを示す場合、ｅＮＢ８０４は、ｅＮＢ８０４が、ＵＥ８０２が送信電力を増加させ得ると決定した場合、ＴＰＣビットを１に設定し得る。
【００６４】
[0077]１０１０において、ｅＮＢはＵＥにＤＣＩメッセージを送信する。ＤＣＩメッセージは、Ｄ２Ｄ通信のための送信電力制御情報を含み得る。送信電力制御情報は、ＵＥが許容送信電力で送信することができるかどうかを示し得る。たとえば、図８を参照すると、ｅＮＢ８０４は、ＵＥ８０２にＤＣＩメッセージ８１８を送信し得る。ＤＣＩメッセージ８１８は、Ｄ２Ｄ通信のための送信電力制御情報を含み得る。この例では、送信電力制御情報はＴＰＣビットであり得る。ＴＰＣビットは１に設定され、ＵＥ８０２が許容電力で送信することができることを示し得る。この例では、許容電力は、第１のメッセージ８１０および／または第２のメッセージ８１６のいずれか中のＵＥ８０２によって要求された要求された送信電力に等しくなり得る。ＤＣＩメッセージ８１８はまた、第１のＤ２Ｄグループ８０６に関連付けられたＤ２ＤグループＩＤ１または第１のＤ２Ｄグループ８０６に関連付けられたＤ２Ｄグループインデックス１を含む。
【００６５】
[0078]１０１２において、ｅＮＢは、ハンドオーバプロシージャにおいて、第２の基地局に、ＵＥからの受信されたメッセージ中に含まれる情報を送信する。情報は、ＵＥのステータスと、送信電力制御情報と、ＵＥがＵＥのステータスに基づいて通信することを意図するＤ２Ｄグループに関連付けられた、Ｄ２Ｄグループ識別子またはＤ２Ｄグループインデックスのうちの少なくとも１つとを含み得る。たとえば、図８を参照すると、ｅＮＢ８０４は、ハンドオーバプロシージャにおいて、第２のｅＮＢ（図８中で図示せず）に、ＵＥ８０２からの第２のメッセージ８１６（または第１のメッセージ８１０）中に含まれる情報を送信し得る。情報は、ＵＥ８０２が緊急事態にあることを示し得、ＴＰＣビットは１に等しい。情報は、それぞれ、第１のＤ２Ｄグループ８０６および第２のＤ２Ｄグループ８０８に関連付けられたＤ２Ｄグループインデックス１、２を含み得る。情報は、ＵＥ８０２の緊急ステータスに基づいて第１のＤ２Ｄグループ８０６および第２のＤ２Ｄグループ８０８と通信するための許容送信電力を含み得る。
【００６６】
[0079]図１１は、例示的な装置１１０２の異なるモジュール／手段／構成要素間のデータフローを示す概念データフロー図１１００である。装置はＵＥであり得る。装置は、受信構成要素１１０４と、ステータス構成要素１１０６と、送信構成要素１１０８とを含む。送信構成要素１１０８は、基地局１１５０にメッセージを送信するように構成され得る。メッセージは、ステータス構成要素１１０６によって与えられた装置のステータスを含み得る。一態様では、ステータスは、装置が緊急事態にあるかどうかを示す緊急ステータスであり得る。別の態様では、メッセージは、装置のステータスに基づいて少なくとも１つのＤ２Ｄグループにデータを送信するために使用されるべき要求された送信電力を含み得る。受信構成要素１１０４は、ステータスに基づいて基地局１１５０からＤＣＩメッセージを受信するように構成され得る。ＤＣＩメッセージは、Ｄ２Ｄ通信のための送信電力制御情報を含み得る。送信電力制御情報は、装置が許容送信電力で送信することができるかどうかを示し得る。一態様では、許容送信電力は、装置の最大送信電力、指定された送信電力、または許容送信電力範囲のうちの１つを含み得る。別の態様では、ＤＣＩメッセージは、データが許容送信電力で装置によって送信されるべきである少なくとも１つのＤ２Ｄグループを示し得る。一構成では、メッセージは、Ｄ２Ｄ通信を実行するという意図を示し得る。この構成では、メッセージは、装置が装置のステータスに基づいて通信することを意図する少なくとも１つのＤ２Ｄグループを示し得る。この構成では、受信構成要素１１０４は、ステータスに基づいて構成メッセージを受信するように構成され得る。構成メッセージは、装置に関連付けられた少なくとも１つのＤ２Ｄグループのための許容送信電力を示し得る。受信構成要素１１０４は、ステータス構成要素１１０６にＤＣＩメッセージのコンテンツを与えるように構成され得る。一態様では、許容送信電力は、要求された送信電力とは異なり得る。別の構成では、メッセージはバッファステータス報告とＤ２Ｄグループインデックスとを含み得る。Ｄ２Ｄグループインデックスは、Ｄ２Ｄグループ識別子に関連付けられ、装置によって送信された直接通信指示メッセージ（たとえば、第１のメッセージ８１０）中に含まれるＤ２Ｄグループ識別子の位置に対応し得る。Ｄ２Ｄグループ識別子は、装置が装置のステータスに基づいて通信することを意図するＤ２Ｄグループに関連付けられ得る。別の構成では、受信構成要素１１０４は、基地局１１５０から情報を受信するように構成され得る。情報は、周波数帯域、装置のタイプ、またはサービスサブスクリプションのうちの少なくとも１つのための最大送信電力を示し得、最大送信電力は許容送信電力に等しい。一態様では、情報は、ＳＩＢまたは専用メッセージ中で受信され得る。受信構成要素１１０４は、ステータス構成要素１１０６に情報を与えるように構成され得る。送信構成要素１１０８は、ＤＣＩメッセージ中で受信された送信電力制御情報に基づいて少なくとも１つのＤ２Ｄグループ１１１０にデータを送信するように構成され得る。送信構成要素１１０８は、ステータス構成要素１１０６によって与えられた許容送信電力に基づいてデータを送信するように構成され得る。一態様では、送信構成要素１１０８は、送信電力制御情報と装置ステータスとに基づいてデータを送信し得る。別の態様では、メッセージは、要求された送信電力、基地局識別子、Ｄ２Ｄグループ識別子、ステータス開始時間、またはステータス停止時間のうちの少なくとも１つを含み得る。
【００６７】
[0080]本装置は、図９の上述のフローチャート中のアルゴリズムのブロックの各々を実行する追加の構成要素を含み得る。したがって、図９の上述のフローチャート中の各ブロックは１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６８】
[0081]図１２は、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される１つまたは複数のプロセッサおよび／またはハードウェア構成要素と、構成要素１１０４、１１０６、１１０８と、コンピュータ可読媒体／メモリ１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明されない。
【００６９】
[0082]処理システム１２１４はトランシーバ１２１０に結合され得る。トランシーバ１２１０は１つまたは複数のアンテナ１２２０に結合される。トランシーバ１２１０は、伝送媒体（transmission medium）を介して様々な他の装置と通信するための手段を与える。トランシーバ１２１０は、１つまたは複数のアンテナ１２２０から信号を受信し、受信された信号から情報を抽出し、抽出された情報を処理システム１２１４、特に受信構成要素１１０４に与える。さらに、トランシーバ１２１０は、処理システム１２１４、特に送信構成要素１１０８から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明された様々な機能を実行させる。コンピュータ可読媒体／メモリ１２０６はまた、ソフトウェアを実行するときにプロセッサ１２０４によって操作されるデータを記憶するために使用され得る。処理システムは、構成要素１１０４、１１０６、１１０８のうちの少なくとも１つをさらに含む。それらの構成要素は、プロセッサ１２０４中で動作し、コンピュータ可読媒体／メモリ１２０６中に常駐する／記憶されたソフトウェア構成要素であるか、プロセッサ１２０４に結合された１つまたは複数のハードウェア構成要素であるか、またはそれらの何らかの組合せであり得る。処理システム１２１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７０】
[0083]一構成では、ワイヤレス通信のための装置１１０２／１１０２’は、基地局にメッセージを送信するための手段を含む。メッセージは装置のステータスを含み得る。装置は、ステータスに基づいて基地局からＤＣＩメッセージを受信するための手段を含み得る。ＤＣＩメッセージは、Ｄ２Ｄ通信のための送信電力制御情報を含み得る。送信電力制御情報は、装置が許容送信電力で送信することができるかどうかを示し得る。装置は、ＤＣＩメッセージ中で受信された送信電力制御情報に基づいてデータを送信するための手段を含み得る。態様では、ステータスは、装置が緊急事態にあるかどうかを示す緊急ステータスであり得る。別の態様では、許容送信電力は、装置の最大送信電力、指定された送信電力、または許容送信電力範囲のうちの１つを含み得る。別の態様では、メッセージは、装置のステータスに基づいて少なくとも１つのＤ２Ｄグループにデータを送信するために使用されるべき要求された送信電力を含み得る。別の態様では、ＤＣＩメッセージは、データが許容送信電力で装置によって送信されるべきである少なくとも１つのＤ２Ｄグループを示し得る。別の態様では、メッセージは、Ｄ２Ｄ通信を実行するという意図を示し得る。別の態様では、メッセージは、装置が装置のステータスに基づいて通信することを意図する少なくとも１つのＤ２Ｄグループを示し得る。別の構成では、装置は、ステータスに基づいて構成メッセージを受信するための手段を含み得る。構成メッセージは、装置に関連付けられた少なくとも１つのＤ２Ｄグループのための許容送信電力を示し得る。この構成では、データは、送信電力制御情報と許容送信電力とに基づいて送信され得る。別の態様では、許容送信電力は、要求された送信電力とは異なり得る。別の態様では、メッセージはバッファステータス報告とＤ２Ｄグループインデックスとを含み得る。Ｄ２Ｄグループインデックスは、Ｄ２Ｄグループ識別子に関連付けられ、装置によって送信された直接通信指示メッセージ（たとえば、第１のメッセージ８１０）中に含まれるＤ２Ｄグループ識別子の位置に対応し得る。Ｄ２Ｄグループ識別子は、装置が装置のステータスに基づいて通信することを意図するＤ２Ｄグループに関連付けられ得る。別の構成では、装置は、基地局から情報を受信するための手段を含み得る。情報は、周波数帯域、装置のタイプ、またはサービスサブスクリプションのうちの少なくとも１つのための最大送信電力を示し得、最大送信電力は許容送信電力に等しくなり得る。別の態様では、情報は、システム情報ブロック中でまたは専用メッセージ中で受信され得る。また別の態様では、データは、受信された情報中で示された最大送信電力で少なくとも１つのＤ２Ｄグループに送信され得る。別の態様では、メッセージは、要求された送信電力、基地局識別子、Ｄ２Ｄグループ識別子、ステータス開始時間、またはステータス停止時間のうちの少なくとも１つを含み得る。上述の手段は、上述の手段によって具陳された機能を実行するように構成された、装置１１０２、および／または装置１１０２’の処理システム１２１４の上述の構成要素のうちの１つまたは複数であり得る。上記で説明されたように、処理システム１２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００７１】
[0084]図１３は、例示的な装置１３０２の異なるモジュール／手段／構成要素間のデータフローを示す概念データフロー図１３００である。装置はｅＮＢであり得る。装置は、受信構成要素１３０４と、電力制御構成要素１３０６と、送信構成要素１３０８とを含み得る。受信構成要素１３０４は、ＵＥ１３５０からメッセージを受信するように構成され得、メッセージはＵＥ１３５０のステータスを示す。受信構成要素１３０４は電力制御構成要素１３０６にステータス情報を与え得、電力制御構成要素１３０６は、ステータスに基づいてＵＥのための送信電力制御情報を決定し、ＵＥ１３５０のための許容送信電力を決定するように構成され得る。電力制御構成要素１３０６は、送信構成要素１３０８に、送信電力制御情報と、許容送信電力と、他のＤＣＩ情報とを与え得る。送信構成要素１３０８は、ＵＥ１３５０にＤＣＩメッセージを送信するように構成され得る。ＤＣＩメッセージは、Ｄ２Ｄ通信のための送信電力制御情報を含み得る。送信電力制御情報は、ＵＥが許容送信電力で送信することができるかどうかを示し得る。一態様では、ステータスは、ＵＥ１３５０が緊急事態にあるかどうかを示す緊急ステータスであり得る。別の態様では、許容送信電力は、ＵＥ１３５０の最大送信電力、指定された送信電力、または許容送信電力範囲のうちの１つを含み得る。別の態様では、メッセージは、ＵＥ１３５０のステータスに基づいて少なくとも１つのＤ２Ｄグループにデータを送信するためにＵＥ１３５０によって使用されるべき要求された送信電力を含み得る。別の態様では、ＤＣＩメッセージは、データが許容送信電力でＵＥ１３５０によって送信されるべきである少なくとも１つのＤ２Ｄグループを示し得る。別の態様では、メッセージは、Ｄ２Ｄ通信を実行するという意図を示し得る。別の態様では、メッセージは、ＵＥ１３５０がＵＥ１３５０のステータスに基づいて通信することを意図する少なくとも１つのＤ２Ｄグループを示し得る。別の構成では、送信構成要素１３０８は、ステータスに基づいて構成メッセージを送信するように構成され得る。構成メッセージは、ＵＥ１３５０に関連付けられた少なくとも１つのＤ２Ｄグループのための許容送信電力を示し得る。この構成では、許容送信電力は、要求された送信電力とは異なり得る。別の構成では、メッセージはバッファステータス報告とＤ２Ｄグループインデックスとを含み得る。Ｄ２Ｄグループインデックスは、Ｄ２Ｄグループ識別子に関連付けられ得、ＵＥ１３５０から受信された直接通信指示メッセージ（たとえば、第１のメッセージ８１０）中に含まれるＤ２Ｄグループ識別子の位置に対応し得る。Ｄ２Ｄグループ識別子は、ＵＥがＵＥ１３５０のステータスに基づいて通信することを意図するＤ２Ｄグループに関連付けられ得る。別の構成では、送信構成要素１３０８は、ＵＥに情報を送信するように構成され得る。情報は、周波数帯域、ＵＥのタイプ、またはサービスサブスクリプションのうちの少なくとも１つのための最大送信電力を示し得、最大送信電力は許容送信電力に等しくなり得る。別の態様では、情報は、システム情報ブロック中でまたは専用メッセージ中で送信され得る。別の態様では、メッセージは、要求された送信電力、基地局識別子、Ｄ２Ｄグループ識別子、ステータス開始時間、またはステータス停止時間のうちの少なくとも１つを含み得る。別の構成では、送信構成要素１３０８は、ハンドオーバプロシージャにおいて、第２の基地局に、ＵＥ１３５０からの受信されたメッセージ中に含まれる情報を送信するように構成され得る。情報は、ＵＥのステータスと、送信電力制御情報と、ＵＥ１３５０がＵＥ１３５０のステータスに基づいて通信することを意図するＤ２Ｄグループに関連付けられた、Ｄ２Ｄグループ識別子またはＤ２Ｄグループインデックスのうちの少なくとも１つとを含み得る。
【００７２】
[0085]本装置は、図１０の上述のフローチャート中のアルゴリズムのブロックの各々を実行する追加の構成要素を含み得る。したがって、図１０の上述のフローチャート中の各ブロックは１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７３】
[0086]図１４は、処理システム１４１４を採用する装置１３０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェア構成要素と、構成要素１３０４、１３０６、１３０８と、コンピュータ可読媒体／メモリ１４０６とを含む様々な回路を互いにリンクする。バス１４２４はまた、タイミングソース、周辺機器、電圧調整器、および電力管理回路など、様々な他の回路をリンクし得るが、これらの回路は当技術分野においてよく知られており、したがって、これ以上説明されない。
【００７４】
[0087]処理システム１４１４はトランシーバ１４１０に結合され得る。トランシーバ１４１０は１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信された信号から情報を抽出し、抽出された情報を処理システム１４１４、特に受信構成要素１３０４に与える。さらに、トランシーバ１４１０は、処理システム１４１４、特に送信構成要素１３０８から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む一般的な処理を担当する。ソフトウェアは、プロセッサ１４０４によって実行されたとき、処理システム１４１４に、特定の装置のための上記で説明された様々な機能を実行させる。コンピュータ可読媒体／メモリ１４０６はまた、ソフトウェアを実行するときにプロセッサ１４０４によって操作されるデータを記憶するために使用され得る。処理システムは、構成要素１３０４、１３０６、および１３０８のうちの少なくとも１つをさらに含む。それらの構成要素は、プロセッサ１４０４中で動作し、コンピュータ可読媒体／メモリ１４０６中に常駐する／記憶されたソフトウェア構成要素であるか、プロセッサ１４０４に結合された１つまたは複数のハードウェア構成要素であるか、またはそれらの何らかの組合せであり得る。処理システム１４１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００７５】
[0088]一構成では、ワイヤレス通信のための装置１３０２／１３０２’は、ＵＥからメッセージを受信するための手段を含む。メッセージはＵＥのステータスを示し得る。装置は、ステータスに基づいてＵＥのための送信電力制御情報を決定するための手段を含み得る。装置は、ＵＥにＤＣＩメッセージを送信するための手段を含み得る。ＤＣＩメッセージは、Ｄ２Ｄ通信のための送信電力制御情報を含み得る。送信電力制御情報は、ＵＥが許容送信電力で送信することができるかどうかを示し得る。一態様では、ステータスは、ＵＥが緊急事態にあるかどうかを示す緊急ステータスであり得る。別の態様では、許容送信電力は、ＵＥの最大送信電力、指定された送信電力、または許容送信電力範囲のうちの１つを含み得る。別の態様では、メッセージは、ＵＥのステータスに基づいて少なくとも１つのＤ２Ｄグループにデータを送信するためにＵＥによって使用されるべき要求された送信電力を含み得る。別の態様では、ＤＣＩメッセージは、データが許容送信電力でＵＥによって送信される少なくとも１つのＤ２Ｄグループを示し得る。別の態様では、メッセージは、Ｄ２Ｄ通信を実行するという意図を示し得る。別の態様では、メッセージは、ＵＥがＵＥのステータスに基づいて通信することを意図する少なくとも１つのＤ２Ｄグループを示し得る。別の構成では、装置は、ステータスに基づいて構成メッセージを送信するための手段を含み得る。構成メッセージは、ＵＥに関連付けられた少なくとも１つのＤ２Ｄグループのための許容送信電力を示し得る。一態様では、許容送信電力は、要求された送信電力とは異なり得る。別の態様では、メッセージはバッファステータス報告とＤ２Ｄグループインデックスとを含む。Ｄ２Ｄグループインデックスは、Ｄ２Ｄグループ識別子に関連付けられ、ＵＥから受信された直接通信指示メッセージ中に含まれるＤ２Ｄグループ識別子の位置に対応し得る。Ｄ２Ｄグループ識別子は、ＵＥがＵＥのステータスに基づいて通信することを意図するＤ２Ｄグループに関連付けられ得る。装置は、ＵＥに情報を送信するための手段を含み得る。情報は、周波数帯域、ＵＥのタイプ、またはサービスサブスクリプションのうちの少なくとも１つのための最大送信電力を示し得る。最大送信電力は許容送信電力に等しくなり得る。一態様では、情報は、システム情報ブロック中でまたは専用メッセージ中で送信され得る。別の態様では、メッセージは、要求された送信電力、基地局識別子、Ｄ２Ｄグループ識別子、ステータス開始時間、またはステータス停止時間のうちの少なくとも１つを含み得る。別の構成では、装置は、ハンドオーバプロシージャにおいて、第２の基地局に、ＵＥからの受信されたメッセージ中に含まれる情報を送信するための手段を含み得る。情報は、ＵＥのステータスと、送信電力制御情報と、ＵＥがＵＥのステータスに基づいて通信することを意図するＤ２Ｄグループに関連付けられた、Ｄ２Ｄグループ識別子またはＤ２Ｄグループインデックスのうちの少なくとも１つとを含み得る。上述の手段は、上述の手段によって具陳された機能を実行するように構成された、装置１３０２、および／または装置１３０２’の処理システム１４１４の上述の構成要素のうちの１つまたは複数であり得る。上記で説明されたように、処理システム１４１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００７６】
[0089]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００７７】
[0090]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、お
よびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）によるワイヤレス通信の方法であって、
基地局にメッセージを送信することと、ここにおいて、前記メッセージが前記ＵＥのステータスを含む、
前記ステータスに基づいて前記基地局からダウンリンク制御情報（ＤＣＩ）メッセージを受信することと、ここにおいて、前記ＤＣＩメッセージが、デバイスツーデバイス（Ｄ２Ｄ）通信のための送信電力制御情報を含み、ここにおいて、前記送信電力制御情報は、前記ＵＥが許容送信電力で送信することができるかどうかを示す、
前記ＤＣＩメッセージ中で受信された前記送信電力制御情報に基づいてデータを送信することと
を備える、方法。
［Ｃ２］
前記ステータスは、前記ＵＥが緊急事態にあるかどうかを示す緊急ステータスである、Ｃ１に記載の方法。
［Ｃ３］
前記許容送信電力が、前記ＵＥの最大送信電力、指定された送信電力、または許容送信電力範囲のうちの１つを備える、Ｃ１に記載の方法。
［Ｃ４］
前記メッセージが、前記ＵＥの前記ステータスに基づいて少なくとも１つのＤ２Ｄグループにデータを送信するために使用されるべき要求された送信電力を含む、Ｃ１に記載の方法。
［Ｃ５］
前記ＤＣＩメッセージは、データが前記許容送信電力で前記ＵＥによって送信されるべきである少なくとも１つのＤ２Ｄグループを示す、Ｃ１に記載の方法。
［Ｃ６］
前記メッセージが、Ｄ２Ｄ通信を実行するという意図を示す、Ｃ１に記載の方法。
［Ｃ７］
前記メッセージは、前記ＵＥが前記ＵＥの前記ステータスに基づいて通信することを意図する少なくとも１つのＤ２Ｄグループを示す、Ｃ６に記載の方法。
［Ｃ８］
前記ステータスに基づいて構成メッセージを受信することをさらに備え、ここにおいて、前記構成メッセージが、前記ＵＥに関連付けられた少なくとも１つのＤ２Ｄグループのための前記許容送信電力を示し、ここにおいて、前記データが、前記送信電力制御情報と前記許容送信電力とに基づいて送信される、
Ｃ６に記載の方法。
［Ｃ９］
前記許容送信電力が、前記要求された送信電力とは異なる、Ｃ８に記載の方法。
［Ｃ１０］
前記メッセージがバッファステータス報告とＤ２Ｄグループインデックスとを含み、ここにおいて、前記Ｄ２Ｄグループインデックスが、Ｄ２Ｄグループ識別子に関連付けられ、前記ＵＥによって送信された直接通信指示メッセージ中に含まれる前記Ｄ２Ｄグループ識別子の位置に対応し、ここにおいて、前記Ｄ２Ｄグループ識別子は、前記ＵＥが前記ＵＥの前記ステータスに基づいて通信することを意図するＤ２Ｄグループに関連付けられる、Ｃ１に記載の方法。
［Ｃ１１］
前記基地局から情報を受信することをさらに備え、ここにおいて、前記情報が、周波数帯域、ＵＥのタイプ、またはサービスサブスクリプションのうちの少なくとも１つのための最大送信電力を示し、前記最大送信電力が前記許容送信電力に等しい、
Ｃ１に記載の方法。
［Ｃ１２］
前記情報が、システム情報ブロック中でまたは専用メッセージ中で受信される、Ｃ１１に記載の方法。
［Ｃ１３］
前記データが、前記受信された情報中で示された前記最大送信電力で少なくとも１つのＤ２Ｄグループに送信される、Ｃ１１に記載の方法。
［Ｃ１４］
前記メッセージが、要求された送信電力、基地局識別子、Ｄ２Ｄグループ識別子、ステータス開始時間、またはステータス停止時間のうちの少なくとも１つを含む、Ｃ１に記載の方法。
［Ｃ１５］
ワイヤレス通信のための装置であって、
基地局にメッセージを送信するための手段と、ここにおいて、前記メッセージが前記装置のステータスを含む、
前記ステータスに基づいて前記基地局からダウンリンク制御情報（ＤＣＩ）メッセージを受信するための手段と、ここにおいて、前記ＤＣＩメッセージが、デバイスツーデバイス（Ｄ２Ｄ）通信のための送信電力制御情報を含み、ここにおいて、前記送信電力制御情報は、前記装置が許容送信電力で送信することができるかどうかを示す、
前記ＤＣＩメッセージ中で受信された前記送信電力制御情報に基づいてデータを送信するための手段と
を備える、装置。
［Ｃ１６］
前記ステータスは、前記装置が緊急事態にあるかどうかを示す緊急ステータスである、Ｃ１５に記載の装置。
［Ｃ１７］
前記許容送信電力が、前記装置の最大送信電力、指定された送信電力、または許容送信電力範囲のうちの１つを備える、Ｃ１５に記載の装置。
［Ｃ１８］
前記メッセージが、前記装置の前記ステータスに基づいて少なくとも１つのＤ２Ｄグループにデータを送信するために使用されるべき要求された送信電力を含む、Ｃ１５に記載の装置。
［Ｃ１９］
前記ＤＣＩメッセージは、データが前記許容送信電力で前記装置によって送信されるべきである少なくとも１つのＤ２Ｄグループを示す、Ｃ１５に記載の装置。
［Ｃ２０］
前記メッセージが、Ｄ２Ｄ通信を実行するという意図を示す、Ｃ１５に記載の装置。
［Ｃ２１］
前記メッセージは、前記装置が前記装置の前記ステータスに基づいて通信することを意図する少なくとも１つのＤ２Ｄグループを示す、Ｃ２０に記載の装置。
［Ｃ２２］
前記ステータスに基づいて構成メッセージを受信するための手段をさらに備え、ここにおいて、前記構成メッセージが、前記装置に関連付けられた少なくとも１つのＤ２Ｄグループのための前記許容送信電力を示し、ここにおいて、前記データが、前記送信電力制御情報と前記許容送信電力とに基づいて送信される、
Ｃ２０に記載の装置。
［Ｃ２３］
前記許容送信電力が、前記要求された送信電力とは異なる、Ｃ２２に記載の装置。
［Ｃ２４］
前記メッセージがバッファステータス報告とＤ２Ｄグループインデックスとを含み、ここにおいて、前記Ｄ２Ｄグループインデックスが、Ｄ２Ｄグループ識別子に関連付けられ、前記装置によって送信された直接通信指示メッセージ中に含まれる前記Ｄ２Ｄグループ識別子の位置に対応し、ここにおいて、前記Ｄ２Ｄグループ識別子は、前記装置が前記装置の前記ステータスに基づいて通信することを意図するＤ２Ｄグループに関連付けられる、Ｃ１５に記載の装置。
［Ｃ２５］
前記基地局から情報を受信するための手段をさらに備え、ここにおいて、前記情報が、周波数帯域、装置のタイプ、またはサービスサブスクリプションのうちの少なくとも１つのための最大送信電力を示し、前記最大送信電力が前記許容送信電力に等しい、
Ｃ１５に記載の装置。
［Ｃ２６］
前記情報が、システム情報ブロック中でまたは専用メッセージ中で受信される、Ｃ２５に記載の装置。
［Ｃ２７］
前記データが、前記受信された情報中で示された前記最大送信電力で少なくとも１つのＤ２Ｄグループに送信される、Ｃ２５に記載の装置。
［Ｃ２８］
前記メッセージが、要求された送信電力、基地局識別子、Ｄ２Ｄグループ識別子、ステータス開始時間、またはステータス停止時間のうちの少なくとも１つを含む、Ｃ１５に記載の装置。
［Ｃ２９］
ワイヤレス通信のための装置であって、
メモリと、
前記メモリに結合された少なくとも１つのプロセッサと
を備え、前記少なくとも１つのプロセッサは、
基地局にメッセージを送信することと、ここにおいて、前記メッセージが前記装置のステータスを含む、
前記ステータスに基づいて前記基地局からダウンリンク制御情報（ＤＣＩ）メッセージを受信することと、ここにおいて、前記ＤＣＩメッセージが、デバイスツーデバイス（Ｄ２Ｄ）通信のための送信電力制御情報を含み、ここにおいて、前記送信電力制御情報は、前記装置が許容送信電力で送信することができるかどうかを示す、
前記ＤＣＩメッセージ中で受信された前記送信電力制御情報に基づいてデータを送信することと
を行うように構成された、装置。
［Ｃ３０］
前記ステータスは、前記装置が緊急事態にあるかどうかを示す緊急ステータスである、Ｃ２９に記載の装置。
［Ｃ３１］
前記許容送信電力が、前記装置の最大送信電力、指定された送信電力、または許容送信電力範囲のうちの１つを備える、Ｃ２９に記載の装置。
［Ｃ３２］
前記メッセージが、前記装置の前記ステータスに基づいて少なくとも１つのＤ２Ｄグループにデータを送信するために使用されるべき要求された送信電力を含む、Ｃ２９に記載の装置。
［Ｃ３３］
前記ＤＣＩメッセージは、データが前記許容送信電力で前記装置によって送信されるべきである少なくとも１つのＤ２Ｄグループを示す、Ｃ２９に記載の装置。
［Ｃ３４］
前記メッセージが、Ｄ２Ｄ通信を実行するという意図を示す、Ｃ２９に記載の装置。
［Ｃ３５］
前記メッセージは、前記装置が前記装置の前記ステータスに基づいて通信することを意図する少なくとも１つのＤ２Ｄグループを示す、Ｃ３４に記載の装置。
［Ｃ３６］
前記少なくとも１つのプロセッサが、
前記ステータスに基づいて構成メッセージを受信することを行うようにさらに構成され、ここにおいて、前記構成メッセージが、前記装置に関連付けられた少なくとも１つのＤ２Ｄグループのための前記許容送信電力を示し、ここにおいて、前記データが、前記送信電力制御情報と前記許容送信電力とに基づいて送信される、
Ｃ３４に記載の装置。
［Ｃ３７］
前記許容送信電力が、前記要求された送信電力とは異なる、Ｃ３６に記載の装置。
［Ｃ３８］
前記メッセージがバッファステータス報告とＤ２Ｄグループインデックスとを含み、ここにおいて、前記Ｄ２Ｄグループインデックスが、Ｄ２Ｄグループ識別子に関連付けられ、前記装置によって送信された直接通信指示メッセージ中に含まれる前記Ｄ２Ｄグループ識別子の位置に対応し、ここにおいて、前記Ｄ２Ｄグループ識別子は、前記装置が前記装置の前記ステータスに基づいて通信することを意図するＤ２Ｄグループに関連付けられる、Ｃ２９に記載の装置。
［Ｃ３９］
前記少なくとも１つのプロセッサが、
前記基地局から情報を受信することを行うようにさらに構成され、ここにおいて、前記情報が、周波数帯域、装置のタイプ、またはサービスサブスクリプションのうちの少なくとも１つのための最大送信電力を示し、前記最大送信電力が前記許容送信電力に等しい、
Ｃ２９に記載の装置。
［Ｃ４０］
前記情報が、システム情報ブロック中でまたは専用メッセージ中で受信される、Ｃ３９に記載の装置。
［Ｃ４１］
前記データが、前記受信された情報中で示された前記最大送信電力で少なくとも１つのＤ２Ｄグループに送信される、Ｃ３９に記載の装置。
［Ｃ４２］
前記メッセージが、要求された送信電力、基地局識別子、Ｄ２Ｄグループ識別子、ステータス開始時間、またはステータス停止時間のうちの少なくとも１つを含む、Ｃ２９に記載の装置。
［Ｃ４３］
ワイヤレス通信のためのコンピュータ実行可能コードを記憶するユーザ機器（ＵＥ）のコンピュータ可読媒体であって、
基地局にメッセージを送信することと、ここにおいて、前記メッセージが前記ＵＥのステータスを含む、
前記ステータスに基づいて前記基地局からダウンリンク制御情報（ＤＣＩ）メッセージを受信することと、ここにおいて、前記ＤＣＩメッセージが、デバイスツーデバイス（Ｄ２Ｄ）通信のための送信電力制御情報を含み、ここにおいて、前記送信電力制御情報は、前記ＵＥが許容送信電力で送信することができるかどうかを示す、
前記ＤＣＩメッセージ中で受信された前記送信電力制御情報に基づいてデータを送信することと
を行うためのコードを備える、コンピュータ可読媒体。
【図１】
0006599466.tif 000002
【図２】
0006599466.tif 000003
【図３】
0006599466.tif 000004
【図４】
0006599466.tif 000005
【図５】
0006599466.tif 000006
【図６】
0006599466.tif 000007
【図７Ａ】
0006599466.tif 000008
【図７Ｂ】
0006599466.tif 000009
【図７Ｃ】
0006599466.tif 000010
【図８】
0006599466.tif 000011
【図９】
0006599466.tif 000012
【図１０】
0006599466.tif 000013
【図１１】
0006599466.tif 000014
【図１２】
0006599466.tif 000015
【図１３】
0006599466.tif 000016
【図１４】
0006599466.tif 000017